(57)【要約】  トルクコンバータ用のダンパアセンブリが提供される。ダンパアセンブリは、第１のカバープレートと、第２のカバープレートとを備え、第１のカバープレートと、第２のカバープレートとは、第１のカバープレートと第２のカバープレートとの間にばねを支持しており、第１のカバープレートと第２のカバープレートとの間の第１のフランジと、第１のカバープレートと第２のカバープレートとの間の第２のフランジとを備え、第１のフランジと、第２のフランジとは、ばねがダンパアセンブリの作動中に直列での初期作動状態から並列での作動状態へ移行するように第１及び第２のカバープレートおよびばねに対して配置されている。
2016536529.tif 000002
【特許請求の範囲】
【請求項１】
トルクコンバータ用のダンパアセンブリであって、
第１のカバープレートと、第２のカバープレートとを備え、前記第１のカバープレートと、前記第２のカバープレートとは、前記第１のカバープレートと前記第２のカバープレートとの間にばねを支持しており、
前記第１のカバープレートと前記第２のカバープレートとの間の第１のフランジと、前記第１のカバープレートと前記第２のカバープレートとの間の第２のフランジとを備え、前記第１のフランジと、前記第２のフランジとは、前記ばねが前記ダンパアセンブリの作動中に直列での初期作動状態から並列での作動状態へ移行するように、前記第１および第２のカバープレートならびにばねに対して配置されている
ことを特徴とする、トルクコンバータ用のダンパアセンブリ。
【請求項２】
前記ばねは、前記ダンパアセンブリの中心軸線から同じ半径方向距離にある、請求項１記載のダンパアセンブリ。
【請求項３】
全ての前記ばねは、並列で作動する間、前記第１のフランジおよび前記第２のフランジの双方によって接触され、圧縮させられる、請求項１記載のダンパアセンブリ。
【請求項４】
前記ばねは、０°ワインドアップ条件において前記第１のフランジによって保持される第１の端部と、前記第１のカバープレートおよび前記第２のカバープレートのうちの少なくとも一方によって保持される第２の端部とを有する少なくとも１つの第１のばねを含み、前記ばねは、０°ワインドアップ条件において前記第２のフランジによって保持される第１の端部と、前記第１のカバープレートおよび前記第２のカバープレートのうちの少なくとも一方によって保持される第２の端部とを有する少なくとも１つの第２のばねを含む、請求項１記載のダンパアセンブリ。
【請求項５】
第１のワインドアップ段階の終了時、前記第２のフランジは前記少なくとも１つの第１のばねの前記第２の端部に接触する、請求項４記載のダンパアセンブリ。
【請求項６】
０°ワインドアップ条件と、前記第１のワインドアップ段階の終了との間に、前記第２のフランジは前記少なくとも１つの第２のばねを周方向に前記第１のフランジに向かって移動させる、請求項５記載のダンパアセンブリ。
【請求項７】
第２のワインドアップ段階の終了時、前記第１のフランジは前記少なくとも１つの第２のばねの前記第２の端部に接触する、請求項５記載のダンパアセンブリ。
【請求項８】
前記第１のワインドアップ段階の終了と、前記第２のワインドアップ段階の終了との間に、前記第２のフランジは前記少なくとも１つの第１のばねを圧縮する、請求項７記載のダンパアセンブリ。
【請求項９】
第３のワインドアップ段階の終了時、前記第２のフランジは、前記少なくとも１つの第１のばねの前記第２の端部を、前記第１のカバープレートおよび前記第２のカバーのうちの少なくとも一方から周方向に離れるように保持する、請求項７記載のダンパアセンブリ。
【請求項１０】
前記第２のワインドアップ段階の終了と、前記第３のワインドアップ段階の終了との間に、前記第１のフランジおよび前記第２のフランジは前記少なくとも１つの第１のばねをさらに圧縮する、請求項９記載のダンパアセンブリ。
【請求項１１】
第３のワインドアップ段階の終了時、前記第１のフランジは、前記少なくとも１つの第２のばねの前記第２の端部を、前記第１のカバープレートおよび前記第２のカバープレートのうちの少なくとも一方から周方向に離れるように保持する、請求項９記載のダンパアセンブリ。
【請求項１２】
前記第２のワインドアップ段階の終了と、前記第３のワインドアップ段階の終了との間に、前記第１のフランジおよび前記第２のフランジは前記少なくとも１つの第２のばねを圧縮する、請求項１１記載のダンパアセンブリ。
【請求項１３】
前記第１のフランジは、第１の長さの少なくとも１つの第１のスロットと、前記第１の長さよりも大きな第２の長さの少なくとも１つの第２のスロットとを有し、前記ばねのうちの１つが前記第１のフランジにおける前記第１のスロットに収容され、前記ばねのうちの１つが前記第１のフランジにおける前記第２のスロットに収容される、請求項１記載のダンパアセンブリ。
【請求項１４】
前記第２のフランジは、第３の長さの少なくとも１つの第３のスロットと、第４の長さの少なくとも１つの第４のスロットとを有し、前記ばねのうちの１つが前記第２のフランジにおける前記第３のスロットに収容され、前記ばねのうちの１つが前記第２のフランジにおける前記第４のスロットに収容される、請求項１３記載のダンパアセンブリ。
【請求項１５】
前記第１のスロットに収容された前記ばねは、前記第４のスロットにも収容されている、請求項１４記載のダンパアセンブリ。
【請求項１６】
前記第２のスロットに収容された前記ばねは、前記第３のスロットにも収容されている、請求項１５記載のダンパアセンブリ。
【請求項１７】
前記トルクは、前記第１のフランジおよび前記第２のフランジのうちの一方を通じて入力され、前記第１のフランジおよび前記第２のフランジのうちの他方を通じて出力される、請求項１記載のダンパアセンブリ。
【請求項１８】
請求項１記載のダンパアセンブリと、
該ダンパアセンブリに接続されたタービンと、を含むことを特徴とする、自動車駆動トレーン用のトルクコンバータ。
【請求項１９】
前記ダンパアセンブリに共に回転するように接続されたロックアップクラッチをさらに含む、請求項１８記載のトルクコンバータ。
【請求項２０】
前記ロックアップクラッチはピストンを含み、該ピストンは、前記第２のフランジに共に回転するように接続されている、請求項１９記載のトルクコンバータ。
【発明の詳細な説明】
【技術分野】
【０００１】
本願は、２０１３年９月２４日に出願された米国仮特許出願第６１／８８１７９６号の利益を請求し、この出願は参照により本明細書に組み込まれる。
【０００２】
本開示は、一般にトルクコンバータに関し、特にトルクコンバータ用のダンパアセンブリに関する。
【背景技術】
【０００３】
米国特許第７６５８６７９号明細書は、直列−並列ダンパアセンブリを開示している。
【発明の概要】
【課題を解決するための手段】
【０００４】
トルクコンバータ用のダンパアセンブリが提供される。ダンパアセンブリは、第１のカバープレートと、第２のカバープレートとを備え、第１のカバープレートと、第２のカバープレートとは、第１のカバープレートと第２のカバープレートとの間にばねを支持しており、第１のカバープレートと第２のカバープレートとの間の第１のフランジと、第１のカバープレートと第２のカバープレートとの間の第２のフランジとを備え、第１のフランジと、第２のフランジとは、ばねがダンパアセンブリの作動中に直列での初期作動状態から並列での作動状態へ移行するように、第１および第２のカバープレートならびにばねに対して配置されている。
【０００５】
トルクコンバータも提供される。トルクコンバータは、ダンパアセンブリと、ダンパアセンブリに接続されたタービンとを有する。
【０００６】
以下の図面を参照して、本発明を以下で説明する。
【図面の簡単な説明】
【０００７】
【図１】本発明の１つの実施の形態に係るダンパアセンブリを有する自動車駆動トレーン用のトルクコンバータの側方断面図を示している。
【図２】図２ａおよび図２ｂは、ダンパアセンブリの分解透視図である。
【図３】図３ａ〜図３ｄはそれぞれダンパアセンブリの作動を示す２つの図を示している。
【図４】図４は、本発明の別の実施の形態に係るダンパアセンブリを示している。
【発明を実施するための形態】
【０００８】
本開示は、多段ダンパの１つの実施の形態を提供する。この実施の形態は、同じばねおよび全体のエンベロープを使用する従来のダンパと比較したときに、より大きな全体的な移動および減じられたレートを備える多段設計を提供しながら同じ能力を提供することができる。このような従来の直列から並列へのダンパは、より複雑で、高価で、スペースを取る。第２のフランジを第１のフランジに加えることによって、多段ダンパは１つのエンベロープ内に２つのダンパを形成し、これにより、第１及び第２のフランジは２〜３の主ばね段を形成し、最初は直列で作動し、最終的に並列作動へ移行する。
【０００９】
図１は、本発明の１つの実施の形態に係るダンパアセンブリ１２を有する自動車駆動トレーン用のトルクコンバータ１０の側方断面図を示している。トルクコンバータ１０は、内燃機関のクランクシャフトに接続するためのフロントカバー１６と、インペラ２２のシェル２０を形成するリヤカバー１８とを含むカバー１４を有する。インペラシェル２０は、ハブ２４に回転不能に固定されている。トルクコンバータ１０は、さらに、ダンパアセンブリ１２に接続されたタービン２６と、ダンパアセンブリ１２をフロントカバー１６に共に回転するように接続する（rotationally connect）ためのロックアップクラッチ２８とを有する。ロックアップクラッチ２８はピストン２９を有する。ピストン２９は、フロントカバー１６に向かっておよびフロントカバー１６から離れる方向へ軸方向に可動であり、これにより、ダンパアセンブリ１２をフロントカバー１６に共に回転するように係合させ、また、ダンパアセンブリ１２をフロントカバー１６から分離させる。ロックアップクラッチ２８は、ダンパアセンブリ１２に共に回転するように結合されている。より具体的には、ロックアップクラッチ２８のピストン２９が、ダンパアセンブリ１２の第２のフランジ３８に共に回転するように接続されている。
【００１０】
ダンパアセンブリ１２は、タービン２６とフロントカバー１６との間に形成されたエンベロープまたはスペース３０に配置されている。ダンパアセンブリ１２は、第１のカバープレート３２と、第１のカバープレート３２に接続され、かつタービン２６にも接続された第２のカバープレート３４と、カバープレート３２，３４の間の第１のフランジ３６および第２のフランジ３８とを有する。この実施の形態では、カバープレート３２，３４はリベット３５によって互いにリベット留めされている。ダンパアセンブリ１２は、２つのばねセットを有しており、各ばねセットは少なくとも１つのばねを含む。この実施の形態では、ばねセットは、２つのばね４４を含む第１のばねセットと、２つのばね４６を含む第２のばねセットとを有する。ばね４４，４６は、同じ半径方向距離において軸方向でカバープレート３２，３４の間に保持されている。ばね４４，４６は、フランジ３６の周方向接触面６６ａ，６６ｂ，６７ａ，６７ｂとフランジ３８の接触面６８ａ，６８ｂ，６９ａ，６９ｂとに周方向で接触することにより、カバープレート３２，３４に対する第１のフランジ３６および第２のフランジ３８の回転を制限する（図２ａ、図２ｂ、図３ａ〜図３ｄを参照）。
【００１１】
第１のフランジ３６は、実質的に平坦なプレート部分５２と、プレート部分５２から軸方向に突出したハブ部分５４とを有する。ハブ部分５４は、軸線Ａを中心にインペラハブ２４の半径方向内側において回転するトランスミッションの回転可能な入力軸５６に回転不能に接続されている。第２のフランジ３８は、ばね４４，４６によって制限されながら第１のフランジ３６に対して回転移動し得るように、ハブ部分５４に位置決めされている。
【００１２】
図２ａおよび図２ｂは、ダンパアセンブリ１２の分解透視図である。図２ａと図２ｂの唯一の相違点は、ダンパアセンブリ１２を完全に示すためにばね４４，４６が異なる場所に示されている点と、ハブ部分５４が第１のフランジ３６のプレート部分５２から切断され、プレート部分５２の下方にあるという点である。上述のように、ダンパアセンブリ１２は、軸線Ａを中心として周方向に交互に位置するそれぞれのばね４４，４６を含む２つのばねセットを有する。各カバープレート３２，３４には、４つのそれぞれのスロットが形成されている。カバープレート３２は、それぞれがばね４４のうちの１つを収容するための２つのスロット５８と、それぞれがばね４６のうちの１つを収容するための２つのスロット５９とを有する。それに対して、カバープレート３４は、それぞれがばね４４のうちの１つを収容するための２つのスロット６０と、それぞれがばね４６のうちの１つを収容するための２つのスロット６１とを有する。スロット５８はそれぞれ、２つのそれぞれの周方向接触面５８ａ，５８ｂによってカバープレート３２に形成されている。スロット５９はそれぞれ、２つのそれぞれの周方向接触面５９ａ，５９ｂによってカバープレート３２に形成されている。スロット６０はそれぞれ、２つのそれぞれの周方向接触面６０ａ，６０ｂによってカバープレート３４に形成されている。スロット６１はそれぞれ、２つのそれぞれの周方向接触面６１ａ，６１ｂによってカバープレート３４に形成されている。以下で図３ａ〜図３ｄに関連してさらに説明するように、トルクコンバータ１０の作動中、スロット５８，５９，６０，６１は、ばね４４の対応する端部４４ａ，４４ｂおよびばね４６の対応する端部４６ａ，４６ｂと接触したり、離れたりしてよい。この実施の形態では、スロット５８，６０は全て同じ長さであり、スロット５９，６１は全て同じ長さである。スロット５８，６０は、スロット５９，６１と異なる長さであっても、同じ長さであってもよい。
【００１３】
第１のフランジ３６は、４つのスロット、すなわち、ばね４６を収容するための第１の長さの２つのスロット６６と、ばね４４を収容するための、第１の長さよりも小さな第２の長さの２つのスロット６７とを有しており、第２のフランジ３８も、４つのスロット、すなわち、ばね４４を収容するための第３の長さの２つのスロット６８と、ばね４６を収容するための、第３の長さよりも小さな第４の長さの２つのスロット６９とを有している。各スロット６６は、ばね４６の端部４６ａ，４６ｂにそれぞれ接触するための２つの接触面６６ａ，６６ｂを有しており、各スロット６７は、ばね４４の端部４４ａ，４４ｂにそれぞれ接触するための２つの接触面６７ａ，６７ｂを有している。同様に、各スロット６８は、ばね４４の端部４４ａ，４４ｂにそれぞれ接触するための２つの接触面６８ａ，６８ｂを有しており、各スロット６９は、ばね４６の端部４６ａ，４６ｂにそれぞれ接触するための２つの接触面６９ａ，６９ｂを有している。第２のフランジ３８は、スロット６８，６９の半径方向外側に４つのスロット７０も有しており、これらのスロット７０を、カバープレート３２，３４を互いに接続するリベット３５が通過する。スロット７０は、第２のフランジ３８がカバープレート３２，３４に対して回転するときにリベット３５がスロット７０において周方向に摺動することができるような長さである。第２のフランジ３８の半径方向外面は、さらに、ピストン２９に半径方向で係合するための凹所７２を有する。第２のフランジ３８の半径方向外面は、カバープレート３２，３４の半径方向外側に延びている。この実施の形態では、スロット６７はスロット５８，６０と同じ長さであり、スロット６９はスロット５９，６１と同じ長さである。スロット６６は、スロット６８と異なる長さであっても、同じ長さであってもよい。
【００１４】
図３ａ〜図３ｄはそれぞれダンパアセンブリ１２の作動を示す２つの図を示している。左側の図は、フランジ３６，３８および第１のカバープレート３２（両カバープレート３２，３４は、図３ａ〜図３ｄを通じて互いに同じ整列状態を有し、したがって、プレート３２の全ての以下の説明はプレート３４にも当てはまる）の平面図である（ばね４４，４６は省略されているが、参照符号４４，４６によって識別されており、ばねの効果は考慮されている）。右側の図は、カバープレート３２，３４およびフランジ３６，３８に対するばね４４のうちの１つおよびばね４６のうちの１つの移動および圧縮を示す概略図である。
【００１５】
図３ａは、０°ワインドアップ状態におけるダンパアセンブリ１２を示している。この状態において、ばね４４の第１の端部４４ａおよび第２の端部４４ｂはカバープレート３２の両スロット５８の両接触面５８ａ，５８ｂ（およびカバープレート３４の両スロット６０の両接触面６０ａ，６０ｂ）と接触している。ばね４４の第１の端部４４ａおよび第２の端部４４ｂは、第１のフランジ３６における両スロット６７の接触面６７ａ，６７ｂの双方と接触している。ばね４４の第１の端部４４ａおよび第２の端部４４ｂは、第２のフランジ３８におけるスロット６８の接触面６８ａ，６８ｂの双方から離間させられている。また、ばね４６の第１の端部４６ａおよび第２の端部４６ｂはカバープレート３２の両スロット５９の両接触面５９ａ，５９ｂ（およびカバープレート３４の両スロット６１の両接触面６１ａ，６１ｂ）と接触している。ばね４６の第１の端部４６ａおよび第２の端部４６ｂは、第２のフランジ３８におけるスロット６９の接触面６９ａ，６９ｂの双方と接触している。ばね４６の第１の端部４６ａおよび第２の端部４６ｂは、第１のフランジ３６におけるスロット６６の接触面６６ａ，６６ｂの双方から離間させられている。したがって、ばね４４に関して、図３ａに示された平面図においては、スロット６７の接触面６７ａ，６７ｂはスロット５８の接触面５８ａ，５８ｂと一致しており、また、スロット６８はスロット５８，６７よりも長いので、スロット６８の接触面６８ａ，６８ｂは、スロット６７の接触面６７ａ，６７ｂそれぞれの周方向外側と、スロット５８の接触面５８ａ，５８ｂそれぞれの周方向外側とに位置決めされている。また、ばね４６に関して、図３ａに示された平面図においては、スロット６９の接触面６９ａ，６９ｂはスロット５９の接触面５９ａ，５９ｂと一致しており、また、スロット６６はスロット５９，６９よりも長いので、スロット６６の接触面６６ａ，６６ｂは、スロット６９の接触面６９ａ，６９ｂそれぞれの周方向外側と、スロット５９の接触面５９ａ，５９ｂそれぞれの周方向外側とに位置決めされている。
【００１６】
図３ｂは、第１のワインドアップ段階の終了時におけるダンパアセンブリ１２を示している。図３ａと図３ｂとの間に生じる第１のワインドアップ段階において、第２のフランジ３８は、示された平面図で見て第１のフランジ３６およびカバープレート３２に対して時計回りに回転させられる。第１のワインドアップ段階の間、ばね４４，４６のうちの１つが両フランジ３６，３８と接触するまでは、ばね４４がばね４６と直列に低減されたばね定数で作動する。第１のワインドアップ段階の終了時、第２のフランジ３８におけるスロット６８の各面６８ａが、一方のばね４４の第１の端部４４ａと接触する。第１のフランジ３６およびカバープレート３２に対する第２のフランジ３８の回転によって、第２のフランジ３８におけるスロット６９の各接触面６９ａもまたばね４６を移動させ、これにより、各ばね４６の第２の端部４６ｂは、スロット６６の対応する接触面６６ｂにより接近する。それに加え、第１のワインドアップ段階の間、カバープレート３２に対する第２のフランジ３８の回転によって、スロット６９の接触面６９ａが、ばね４６の端部４６ａを、カバープレート３２におけるスロット５９の対応する接触面５９ａと接触しなくなるように移動させる。したがって、ばね４４に関して、図３ｂに示された平面図において、それぞれのスロット５８，６８の接触面５８ａ，６８ａの双方がばね４４の端部４４ａと接触しかつ一致しており、接触面６７ａがばねの端部４４ａから離間させられる一方で、接触面６７ｂのみがばね４４の端部４４ｂと接触し、接触面５８ｂがばね４４の端部４４ｂから離間させられ、接触面６８ｂが、ばね４４の端部４４ｂから、接触面５８ｂよりもさらに大きく離間させられる。また、ばね４６に関して、図３ｂに示された平面図において、接触面６９ａのみがばね４６の端部４６ａと接触し、接触面５９ａがばね４６の端部４６ａから離間させられ、接触面６６ａは、ばね４６の端部４６ａから、接触面５９ａよりもさらに大きく離間させられる一方で、接触面５９ｂのみがばね４６の端部４６ｂと接触し、接触面６６ｂはばね４６の端部４６ｂから離間させられ、接触面６９ｂは、ばね４６の端部４６ｂから、接触面６６ｂよりもさらに大きく離間させられる。
【００１７】
図３ｃは、第２のワインドアップ段階の終了時におけるダンパアセンブリ１２を示している。図３ｂと図３ｃとの間に生じる第２のワインドアップ段階において、第２のフランジ３８は、示された平面図で見て第１のフランジ３６およびカバープレート３２に対して時計回りにさらに回転させられる。第２のワインドアップ段階は、従来の直列ダンパアセンブリの第２のワインドアップ段階と等しい。この段階は、両フランジ３６，３８による圧縮を介してばね４４を循環させるだけである一方、ばね４６はカバープレート３２，３４とフランジ３８との間に締め付けられたままである。これは、ダンパ移動の合計が、スロット６８の接触面６８ａとばね４４の端部４４ａとの間の距離ａａに、スロット６６の接触面６６ｂとばね４６の端部４６ｂとの間の距離ａｂを足したものと等しくなるまで続く（図３ａ参照）。ａａだけばね４４を循環させるために必要とされる力が、ａｂだけばね４６を循環させるために必要とされる力と等しい場合には、第２のワインドアップ段階が省略されるということに注意すべきである。第２のワインドアップ段階の間、第１のフランジ３６およびカバープレート３２に対する第２のフランジ３８の回転移動によって、各スロット６８の面６８ａと各スロット６７の接触面６７ｂとの間の周方向距離の減少のため、第２のフランジ３８がばね４４を圧縮している。第２のワインドアップ段階の終了時、各ばね４６の端部４６ｂは、対応するスロット６６の面６６ｂに接触している。したがって、ばね４４に関して、図３ｃに示された平面図において、それぞれのスロット６８，５８の接触面６８ａ，５８ａは依然としてばね４４の端部４４ａと接触しかつ一致しており、スロット６７の接触面６７ａがばね４４の端部４４ａから離間させられる一方で、接触面６７ｂのみがばね４４の端部４４ｂと接触し、接触面５８ｂがばね４４の端部４４ｂから離間させられ、接触面６８ｂが、ばね４４の端部４４ｂから、接触面５８ｂよりもさらに大きく離間させられる。また、ばね４６に関して、図３ｃに示された平面図において、接触面６９ａがばね４６の端部４６ａと接触し、接触面５９ａがばね４６の端部４６ａから離間させられ、接触面６６ａは、ばね４６の端部４６ａから、接触面５９ａよりもさらに大きく離間させられる一方で、接触面５９ｂ，６６ｂがばね４６の端部４６ｂと接触しかつ互いに一致しており、接触面６９ｂはばね４６の端部４６ｂから離間させられている。
【００１８】
図３ｄは、第３のワインドアップ段階の終了時におけるダンパアセンブリ１２を示している。図３ｃと図３ｄとの間に生じる第３のワインドアップ段階において、第２のフランジ３８は、示された平面図で見て第１のフランジ３６およびカバープレート３２に対して時計回りにさらに回転させられる。第３のワインドアップ段階において、ダンパは、ａａ＋ａｂの移動に達しており、トルクは直列および並列の両方において計算される。直列におけるトルクと、並列におけるトルクとの差が、第３のワインドアップ段階への移行のために必要な力／トルクを決定する。第３のワインドアップ段階の間、力／トルクはカバープレート３２，３４を介して伝達されず、その代わりにばね４４，４８は並列の配置においてフランジ３６からフランジ３８へ直接に接触する。
【００１９】
第３のワインドアップ段階の間、第１のフランジ３６およびカバープレート３２に対する第２のフランジ３８の回転移動によって、各スロット６８の面６８ａと各スロット６７の接触面６７ｂとの間の周方向距離のさらなる減少のため、第２のフランジ３８がばね４４をさらに圧縮している。第３のワインドアップ段階の間の第１のフランジ３６およびカバープレート３２に対する第２のフランジ３８の回転移動によって、各スロット６９の面６９ａと各スロット６６の接触面６６ｂとの間の周方向距離の減少のため、第２のフランジ３８もばね４６を圧縮している。それに加え、第３のワインドアップ段階の間、カバープレート３２に対する第２のフランジ３８の回転によって、スロット６８の接触面６８ａが、ばね４４の端部４４ａを、カバープレート３２の対応する接触面５８ａと接触しなくなるように移動させる。したがって、ばね４４に関して、図３ｄに示された平面図において、接触面６８ａのみがばね４４の端部４４ａと接触し、接触面５８ａがばね４４の端部４４ａから離間させられ、接触面６７ａは、ばね４４の端部４４ａから、接触面５８ａよりもさらに大きく離間させられる一方で、接触面６７ｂのみがばね４４の端部４４ｂと接触し、接触面５８ｂはばね４４の端部４４ｂから離間させられ、接触面６８ｂは、ばね４４の端部４４ｂから、接触面５８ｂよりもさらに大きく離間させられる。また、ばね４６に関して、図３ｄに示された平面図において、接触面６９ａのみがばね４６の端部４６ａと接触し、接触面５９ａがばね４６の端部４６ａから離間させられ、接触面６６ａは、ばね４６の端部４６ａから、接触面５９ａよりもさらに大きく離間させられる一方で、接触面６６ｂのみがばね４６の端部４６ｂと接触し、接触面５９ｂはばね４６の端部４６ｂから離間させられ、接触面６９ｂは、ばね４６の端部４６ｂから、接触面５９ｂよりもさらに大きく離間させられる。
【００２０】
図４は、本発明の別の実施の形態によるダンパアセンブリ１１２を示している。ダンパ１１２は、ばね４４，４６がアークスプリング１４０の別のセットとともに直列に使用されており、フランジ３８が、その半径方向外側端部に形成されたばねリテーナ１４２を有するフランジ１３８と置き換えられていることを除き、ダンパアセンブリ１１２と実質的に同じ形式で形成されている。ばねリテーナ１４２はアークスプリング１４０を保持する。ロックアップクラッチの駆動部分１５０は、周方向でばね１４０に係合する。この構成が使用される場合、プレロード段階を排除することができ、別の有益な段階をダンパに加えることができる。１つの好適な実施の形態において、この設計において示されたアークスプリング１４０の能力は、ばね４４，４６によって形成されたベースダンパの最終段階に入るために必要とされるトルクと等しい能力を有する。
【００２１】
前記明細書において、発明は、特定の典型的な実施の形態およびその実施例に関して上述されている。しかしながら、以下の請求項に示された発明のより広い思想および範囲から逸脱することなく、それらの実施の形態に対して様々な修正および変更を成し得ることは明らかである。したがって、明細書および図面は、制限的な意味ではなく例示的な意味で見なされるべきである。
【図１】
2016536529.tif 000003
【図２ａ】
2016536529.tif 000004
【図２ｂ】
2016536529.tif 000005
【図３ａ】
2016536529.tif 000006
【図３ｂ】
2016536529.tif 000007
【図３ｃ】
2016536529.tif 000008
【図３ｄ】
2016536529.tif 000009
【図４】
2016536529.tif 000010
【国際調査報告】
2016536529.tif 000011